(57)【要約】MACスケジューラなどの上位レイヤの機能と、無線物理レイヤの機能とが分離して実装された場合でも、システム情報、及び当該システム情報の報知に用いられる無線リソースの割り当て情報を、効率的に中央集約装置から張出装置に通知することができる無線基地局及び通信制御方法を提供する。無線基地局の中央集約装置210が、ユーザ装置300に向けて報知されるシステム情報（SIB）、及びシステム情報の報知に用いられる無線リソースの割り当てを示す割り当て情報を張出装置260に送信するステップと、張出装置260が、受信した割り当て情報に基づいて、所定の下りチャネルを介してシステム情報をユーザ装置300に送信するステップとを含む。割り当て情報を張出装置260に送信するステップでは、システム情報または割り当て情報の内容が変更された場合、内容が変更されたシステム情報、または内容が変更された割り当て情報を送信する。
2017175780.tif 000002
【特許請求の範囲】
【請求項１】
張出装置と中央集約装置とを含み、ユーザ装置と無線通信を実行する無線基地局であって、
前記中央集約装置は、前記ユーザ装置に向けて報知されるシステム情報、及び前記システム情報の報知に用いられる無線リソースの割り当てを示す割り当て情報を前記張出装置に送信する情報送信部を備え、
前記張出装置は、
前記システム情報及び前記割り当て情報を受信する情報受信部と、
前記情報受信部が受信した前記割り当て情報に基づいて、所定の下りチャネルを介して前記システム情報を前記ユーザ装置に送信するチャネル送信部と
を備え、
前記情報送信部は、前記システム情報または前記割り当て情報の内容が変更された場合、内容が変更された前記システム情報、または内容が変更された前記割り当て情報を送信する無線基地局。
【請求項２】
前記情報送信部は、前記システム情報の内容が変更された場合のみ、内容が変更された前記システム情報を送信する請求項１に記載の無線基地局。
【請求項３】
前記情報送信部は、前記割り当て情報の内容が変更された場合のみ、内容が変更された前記割り当て情報を送信する請求項１または２に記載の無線基地局。
【請求項４】
張出装置と中央集約装置とを含み、ユーザ装置と無線通信を実行する無線基地局であって、
前記中央集約装置は、前記ユーザ装置に向けて報知されるシステム情報、及び前記システム情報の報知に用いられる無線リソースの割り当てを示す割り当て情報を前記張出装置に送信する情報送信部を備え、
前記張出装置は、
前記システム情報及び前記割り当て情報を受信する情報受信部と、
前記情報受信部が受信した前記割り当て情報に基づいて、所定の下りチャネルを介して前記システム情報を前記ユーザ装置に送信するチャネル送信部と
を備え、
前記情報送信部は、
前記張出装置と前記中央集約装置とによるセルの設定においては、前記システム情報及び前記割り当て情報の送信を回避し、
前記システム情報の前記ユーザ装置への送信タイミング毎に、前記システム情報及び前記割り当て情報を前記張出装置に送信する無線基地局。
【請求項５】
張出装置と中央集約装置とを含み、ユーザ装置と無線通信を実行する無線基地局における通信制御方法であって、
前記中央集約装置が、前記ユーザ装置に向けて報知されるシステム情報、及び前記システム情報の報知に用いられる無線リソースの割り当てを示す割り当て情報を前記張出装置に送信するステップと、
前記張出装置が、受信した前記割り当て情報に基づいて、所定の下りチャネルを介して前記システム情報を前記ユーザ装置に送信するステップと
を含み、
前記割り当て情報を前記張出装置に送信するステップでは、前記システム情報または前記割り当て情報の内容が変更された場合、内容が変更された前記システム情報、または内容が変更された前記割り当て情報を送信する通信制御方法。
【請求項６】
張出装置と中央集約装置とを含み、ユーザ装置と無線通信を実行する無線基地局における通信制御方法であって、
中央集約装置が、前記ユーザ装置に向けて報知されるシステム情報、及び前記システム情報の報知に用いられる無線リソースの割り当てを示す割り当て情報を前記張出装置に送信するステップと、
前記張出装置が、受信した前記割り当て情報に基づいて、所定の下りチャネルを介して前記システム情報を前記ユーザ装置に送信するステップと、
前記張出装置と前記中央集約装置とによるセルの設定において、前記システム情報及び前記割り当て情報の送信を回避するステップと
を含み、
前記割り当て情報を前記張出装置に送信するステップでは、前記システム情報の前記ユーザ装置への送信タイミング毎に、前記システム情報及び前記割り当て情報を前記張出装置に送信する通信制御方法。
【発明の詳細な説明】
【技術分野】
【０００１】
本発明は、張出装置と中央集約装置とを含み、ユーザ装置と無線通信を実行する無線基地局及び通信制御方法に関する。
【背景技術】
【０００２】
3rd Generation Partnership Project（3GPP）は、Long Term Evolution（LTE）の更なる高速化を目的としてLTE-Advanced（以下、LTE-Advancedを含めてLTEという）を仕様化している。また、3GPPでは、さらに、5G（5th generation mobile communication system）などと呼ばれるLTEの後継システムの仕様が検討されている。【０００３】
LTEでは、MAC層におけるスケジューラ機能（MACスケジューラ）などを有する中央集約装置と、中央集約装置の設置場所から張り出して遠隔に配置する張出装置とを含む、いわゆるC-RAN型の無線基地局が用いられている。張出装置は、PA(Power Amplifier)/LNA(Low Noise Amplifier)、無線送受信モジュール及び変復調モジュールなどの無線部（RF部）を備える。【０００４】
また、中央集約装置と張出装置とは、フロントホールと呼ばれる有線伝送路で接続される。このような中央集約装置と張出装置とのインタフェースとしては、例えば、Common Public Radio Interface（CPRI）が知られている。【０００５】
ところで、上述した5Gの仕様検討に際して、これまで中央集約装置に実装されていた無線物理レイヤ（レイヤ1）の機能を張出装置に実装することが提唱されている（例えば、非特許文献１）。このような実装によれば、フロントホールの所要伝送帯域を削減することができる。
【先行技術文献】
【非特許文献】
【０００６】
【非特許文献１】3GPP RWS-150051(3GPP RAN workshop on 5G), “5G Vision for 2020 and Beyond”、3GPP、2015年9月
【発明の概要】
【０００７】
上述したように、これまで中央集約装置に実装されていた無線物理レイヤの機能を張出装置に実装した場合、次のような問題がある。すなわち、MACスケジューラなどの上位レイヤ（レイヤ2など）の機能は、これまでどおり中央集約装置に実装される。
【０００８】
このため、例えば、ユーザ装置（無線通信端末または移動局ともいう）に向けて報知されるシステム情報、及び当該システム情報の報知に用いられる無線リソースの割り当て情報を、中央集約装置から張出装置に送信する必要がある。なお、システム情報には、Master Information Block（MIB）及びSystem Information Block（SIB）が含まれる。
【０００９】
また、システム情報または割り当て情報の内容が変更された場合には、当該変更後の内容を中央集約装置から張出装置に送信する必要がある。しかしながら、システム情報または割り当て情報の送信頻度が多くなると、中央集約装置と張出装置とのインタフェースにおける通信帯域を逼迫することが懸念される。さらに、中央集約装置及び張出装置の処理負荷の増大も懸念される。
【００１０】
一方、システム情報及び割り当て情報の送信頻度を抑制するため、システム情報及び割り当て情報の少なくとも何れか一方の送信を省略することも考えられるが、このためには、張出装置がシステム情報または割り当て情報の送信が省略されることを予め認識している必要がある。
【００１１】
そこで、本発明は、このような状況に鑑みてなされたものであり、MACスケジューラなどの上位レイヤの機能と、無線物理レイヤの機能とが分離して実装された場合でも、システム情報、及び当該システム情報の報知に用いられる無線リソースの割り当て情報を、効率的に中央集約装置から張出装置に通知することができる無線基地局及び通信制御方法の提供を目的とする。
【００１２】
本発明の一態様に係る無線基地局は、張出装置と中央集約装置とを含み、ユーザ装置と無線通信を実行する。前記中央集約装置は、前記ユーザ装置に向けて報知されるシステム情報、及び前記システム情報の報知に用いられる無線リソースの割り当てを示す割り当て情報を前記張出装置に送信する情報送信部を備え、前記張出装置は、前記システム情報及び前記割り当て情報を受信する情報受信部と、前記情報受信部が受信した前記割り当て情報に基づいて、所定の下りチャネルを介して前記システム情報を前記ユーザ装置に送信するチャネル送信部とを備え、前記情報送信部は、前記システム情報または前記割り当て情報の内容が変更された場合、内容が変更された前記システム情報、または内容が変更された前記割り当て情報を送信する。
【００１３】
本発明の一態様に係る無線基地局は、張出装置と中央集約装置とを含み、ユーザ装置と無線通信を実行する。前記中央集約装置は、前記ユーザ装置に向けて報知されるシステム情報、及び前記システム情報の報知に用いられる無線リソースの割り当てを示す割り当て情報を前記張出装置に送信する情報送信部を備え、前記張出装置は、前記システム情報及び前記割り当て情報を受信する情報受信部と、前記情報受信部が受信した前記割り当て情報に基づいて、所定の下りチャネルを介して前記システム情報を前記ユーザ装置に送信するチャネル送信部とを備え、前記情報送信部は、前記張出装置と前記中央集約装置とによるセルの設定においては、前記システム情報及び前記割り当て情報の送信を回避し、前記システム情報の前記ユーザ装置への送信タイミング毎に、前記システム情報及び前記割り当て情報を前記張出装置に送信する。
【００１４】
本発明の一態様に係る通信制御方法は、張出装置と中央集約装置とを含み、ユーザ装置と無線通信を実行する無線基地局において用いられる。通信制御方法は、前記中央集約装置が、前記ユーザ装置に向けて報知されるシステム情報、及び前記システム情報の報知に用いられる無線リソースの割り当てを示す割り当て情報を前記張出装置に送信するステップと、前記張出装置が、受信した前記割り当て情報に基づいて、所定の下りチャネルを介して前記システム情報を前記ユーザ装置に送信するステップとを含み、前記割り当て情報を前記張出装置に送信するステップでは、前記システム情報または前記割り当て情報の内容が変更された場合、内容が変更された前記システム情報、または内容が変更された前記割り当て情報を送信する。
【００１５】
本発明の一態様に係る通信制御方法は、張出装置と中央集約装置とを含み、ユーザ装置と無線通信を実行する無線基地局において用いられる。通信制御方法は、中央集約装置が、前記ユーザ装置に向けて報知されるシステム情報、及び前記システム情報の報知に用いられる無線リソースの割り当てを示す割り当て情報を前記張出装置に送信するステップと、前記張出装置が、受信した前記割り当て情報に基づいて、所定の下りチャネルを介して前記システム情報を前記ユーザ装置に送信するステップと、前記張出装置と前記中央集約装置とによるセルの設定において、前記システム情報及び前記割り当て情報の送信を回避するステップとを含み、前記割り当て情報を前記張出装置に送信するステップでは、前記システム情報の前記ユーザ装置への送信タイミング毎に、前記システム情報及び前記割り当て情報を前記張出装置に送信する。
【図面の簡単な説明】
【００１６】
【図１】図１は、無線通信システム10の全体概略構成図である。
【図２】図２は、無線通信システム10の全体ブロック構成図である
【図３】図３は、中央集約装置210の機能ブロック構成図である。
【図４】図４は、張出装置260の機能ブロック構成図である。
【図５】図５は、中央集約装置210及び張出装置260によるシステム情報の報知動作の概念図である。
【図６】図６は、システム情報の送信に関連する論理チャネル、トランスポートチャネル及び物理チャネルのマッピングを示す図である。
【図７】図７は、無線リソースの割り当て情報及びSIBの内容の報知動作例１における通信シーケンスを示す図である。
【図８】図８は、無線リソースの割り当て情報及びSIBの内容の報知動作例２における通信シーケンスを示す図である。
【図９】図９は、無線リソースの割り当て情報及びSIBの内容の報知動作例３における通信シーケンスを示す図である。
【図１０】図１０は、無線リソースの割り当て情報及びSIBの内容の報知動作例４における通信シーケンスを示す図である。
【発明を実施するための形態】
【００１７】
以下、実施形態を図面に基づいて説明する。なお、同一の機能や構成には、同一または類似の符号を付して、その説明を適宜省略する。
【００１８】
（１）無線通信システムの全体概略構成
図１は、本実施形態に係る無線通信システム10の全体概略構成図である。無線通信システム10は、Long Term Evolution（LTE）、及びLTEの後継システムである5Gに従った無線通信システムである。
【００１９】
なお、本実施形態では、5Gと対応させる観点から、LTE（LTE-Advancedを含む）を適宜「4G」と称呼する。また、本実施形態では、5Gが導入された直後における無線通信システムの構成を想定しており、5Gが4Gを補完するLTE assisted operationを実現する。
【００２０】
無線通信システム10は、コアネットワーク20、無線基地局100、無線基地局200及びユーザ装置300を含む。
【００２１】
コアネットワーク20は、Evolved Packet Core（EPC）とも呼ばれ、移動管理エンティティ（MME）、サービングゲートウェイ（S-GW）及びPDNゲートウェイ（P-GW）などによって構成される。
【００２２】
無線基地局100は、4Gに従った無線基地局であり、eNodeBとも呼ばれている。無線基地局100は、S1-MMEまたはS1-Uインタフェースを介してコアネットワーク20を構成する装置（ノード）と接続される。
【００２３】
無線基地局200は、5Gに従った無線基地局である。無線基地局200は、X2インタフェース（ここでは、便宜的に、X2-AP’, X2-U’と呼ぶ）を介して無線基地局100と接続される。
【００２４】
ユーザ装置300（UE）は、無線基地局100及び無線基地局200と無線通信を実行することができる。ユーザ装置300は、無線通信端末、或いは移動局と呼ばれてもよい。無線基地局200及びユーザ装置300は、複数のアンテナ素子から送信される無線信号を制御することによって、より指向性の高いビームを生成するMassive MIMO、複数のコンポーネントキャリア（CC）を用いるキャリアアグリゲーション（CA）、及び複数の無線基地局とユーザ装置300との間においてコンポーネントキャリアを同時送信するデュアルコネクティビティ（DC）などに対応することができる。
【００２５】
図２は、無線通信システム10の全体ブロック構成図である。図２に示すように、無線基地局100は、中央集約装置110及び張出装置160によって構成される。同様に、無線基地局200は、中央集約装置210及び張出装置260によって構成される。なお、無線基地局100及び無線基地局200は、中央集約装置及び張出装置以外の他の装置を含んでもよい。
【００２６】
中央集約装置110は、無線物理レイヤ（L1）、ミディアムアクセス制御レイヤ（MAC）、無線リンク制御レイヤ（RLC）、パケット・データ・コンバージェンス・プロトコルレイヤ（PDCP）を有する。また、中央集約装置110は、PDCPの上位レイヤとして、無線リソース制御レイヤ（RRC）を有する。
【００２７】
張出装置160は、中央集約装置110の設置場所から張り出して遠隔に配置することができる。張出装置160は、PA(Power Amplifier)/LNA(Low Noise Amplifier)、無線送受信モジュール及び変復調モジュールなどの無線部（RF）を有する。
【００２８】
中央集約装置110は、デジタル処理部（Digital Unit（DU））またはCentral Unit（CU）とも呼ばれ、張出装置160は、無線処理部（Radio Unit（RU））またはRemote Unit（RU）とも呼ばれる。中央集約装置110と張出装置160とは、フロントホールと呼ばれる有線伝送路で接続される。このような中央集約装置110と張出装置160とのインタフェースとしては、例えば、Common Public Radio Interface（CPRI）が用いられる。
【００２９】
中央集約装置210及び張出装置260は、上述した中央集約装置110及び張出装置160にそれぞれ対応するが、レイヤ構成が異なっている。
【００３０】
具体的には、中央集約装置210は、ミディアムアクセス制御レイヤ（MAC）及び無線リンク制御レイヤ（RLC）を有する。張出装置260は、無線物理レイヤ（L1）及び無線部（RF）を有する。
【００３１】
なお、上述したように、中央集約装置210は、X2-AP’, X2-U’インタフェースを介して中央集約装置110と接続される。
【００３２】
（２）無線通信システムの機能ブロック構成
次に、無線通信システム10の機能ブロック構成について説明する。具体的には、中央集約装置210及び張出装置260の機能ブロック構成について説明する。
【００３３】
（２．１）中央集約装置210
図３は、中央集約装置210の機能ブロック構成図である。図３に示すように、中央集約装置210は、情報送信部211、情報受信部213、スケジューラ機能部215、チャネル制御部217及びX2 IF部219を備える。
【００３４】
なお、図３に示すように、中央集約装置210の各機能ブロックは、プロセッサ（メモリを含む）、機能モジュール（外部接続IFなど）、及び電源などのハードウェア要素によって実現される。
【００３５】
情報送信部211は、無線基地局100、具体的には、張出装置260とユーザ装置300との無線通信に必要な情報を張出装置260に送信する。
【００３６】
特に、本実施形態では、情報送信部211は、ユーザ装置300に向けて報知されるシステム情報、具体的には、Master Information Block（MIB）及びSystem Information Block（SIB）を張出装置260に送信する。
【００３７】
情報送信部211は、システム情報の報知に用いられる無線リソースの割り当てを示す割り当て情報を張出装置260に送信する。具体的には、MIBの場合、情報送信部211は、MIBの報知に用いられるPBCH（Physical Broadcast Channel）の割り当て情報、具体的には、SS（Synchronization Signal）の情報を張出装置260に送信する。
【００３８】
また、SIBの場合、情報送信部211は、SIBの送信に用いられるPDSCH（Physical Downlink Shared Channel）の割り当て情報、具体的には、PDCCH（Physical Downlink Control Channel）の情報を張出装置260に送信する。
【００３９】
情報送信部211は、システム情報または割り当て情報の内容が変更された場合、内容が変更されたシステム情報、または内容が変更された割り当て情報を送信することができる。つまり、情報送信部211は、システム情報または割り当て情報の何れか一方が変更された場合には、当該変更された情報を送信し、両方が変更された場合には、両方の情報を送信することができる。
【００４０】
すなわち、情報送信部211は、システム情報の内容が変更された場合のみ、内容が変更されたシステム情報を送信する。また、情報送信部211は、割り当て情報の内容が変更された場合のみ、内容が変更された割り当て情報を送信する。
【００４１】
また、情報送信部211は、張出装置260と中央集約装置210とによるセルの設定においては、システム情報及び割り当て情報の送信を回避することができる。なお、セルの設定とは、各種のパラメータをメモリなどに設定することで、ユーザ装置300と各種のパラメータに従った無線通信を実行可能な状態にすることを意味する。
【００４２】
また、情報送信部211は、セルの設定において、システム情報及び割り当て情報の送信を回避した場合、システム情報（MIBまたはSIB）のユーザ装置300への送信タイミング毎に、当該システム情報及び割り当て情報を張出装置260に送信する。
【００４３】
情報受信部213は、張出装置260から送信された情報を受信する。例えば、情報受信部213は、CQI（Channel Quality Indicator）、PMI（Precoding Matrix Indicator）及びRI（Rank Indicator）などの下りリンク品質情報を受信する。また、情報受信部213は、CSI（Channel State Information）及びSRS（Sounding Reference Signal）の判定結果、ランダムアクセスレスポンス（RAR）及び下り方向のスケジューリング要求などを受信する。
【００４４】
スケジューラ機能部215は、無線基地局200と接続されている複数のユーザ装置300の状況、及びそれぞれのユーザ装置300からのスケジューリング要求などに応じて、無線リソースのユーザ装置300へのスケジューリング（MACスケジューラなど）を実行する。また、スケジューラ機能部215は、スケジューリングの結果をチャネル制御部217に通知する。
【００４５】
チャネル制御部217は、無線基地局100（具体的には、張出装置260）と、ユーザ装置300との間において送受信される各種チャネル、具体的には、論理チャネル、トランスポートチャネル及び物理チャネルの制御を実行する。
【００４６】
チャネル制御部217は、下り方向の物理チャネルとして、例えば、PDCCH、PBCH、PDSCH、PHICH（Physical HARQ Indicator Channel）、PCFICH（Physical Control Format Indicator Channel）などの送信タイミング及び内容を決定する。また、チャネル制御部217は、下り方向のトランスポートチャネルとして、DLSCH（Downlink Shared Channel）、BCH（Broadcast Channel）及びPCH（Paging Channel）などの送信タイミング及び内容を決定する。
【００４７】
チャネル制御部217は、上り方向の物理チャネルとして、例えば、PUCCH（Physical Uplink Control Channel）、SRS（Sounding Reference Signal）、PRACH（Physical Random Access Channel）及びPUSCH（Physical Uplink Shared Channel）などの受信に関する制御を実行する。
【００４８】
チャネル制御部217は、各種チャネルの制御内容を情報送信部211に通知する。
【００４９】
X2 IF部219は、中央集約装置110との通信を実現するためのインタフェースを提供する。具体的には、X2 IF部219は、中央集約装置110と中央集約装置210とをMAC及びRLCを用いて直接接続するインタフェースであり、既存のオープンインタフェースであることが好ましい。ユーザ装置300の送受信データは、X2 IF部219を介して無線基地局100と中継される。
【００５０】
（２．２）張出装置260
図４は、張出装置260の機能ブロック構成図である。図４に示すように、張出装置260は、無線通信部261、情報受信部263、チャネル送信部265、情報取得部267及び情報送信部269を備える。
【００５１】
なお、図４に示すように、張出装置260の各機能ブロックは、デュープレクサ、PA(Power Amplifier)/LNA(Low Noise Amplifier)、無線送受信モジュール（RF変換）、機能モジュール（直交変復調など）、及び電源などのハードウェア要素によって実現される。
【００５２】
無線通信部261は、ユーザ装置300との無線通信を実行する。具体的には、無線通信部261は、5Gの仕様に従ってユーザ装置300との無線通信を実行する。上述したように、無線通信部261は、Massive MIMO、キャリアアグリゲーション（CA）、及びデュアルコネクティビティ（DC）などに対応することができる。
【００５３】
情報受信部263は、中央集約装置210から送信された情報を受信する。具体的には、情報受信部263は、中央集約装置210から送信される無線通信に必要な情報などを受信する。
【００５４】
特に、本実施形態では、情報受信部263は、システム情報、具体的には、MIB及びSIBの内容を受信する。また、情報受信部263は、割り当て情報、具体的には、PBCH（MIBの場合）、及びPDSCH（SIBの場合）を介して送信されるシステム情報を送信するために用いられる無線リソースの割り当て情報（SS, PDCCH）を受信する。
【００５５】
チャネル送信部265は、各種チャネル、具体的には、下り方向のトランスポートチャネル及び物理チャネルなどをユーザ装置300に向けて送信する。
【００５６】
特に、本実施形態では、チャネル送信部265は、情報受信部263が受信した割り当て情報に基づいて、所定の下りチャネル（PBCHまたはPDSCH）を介してシステム情報をユーザ装置300に送信する。また、チャネル送信部265は、PDCCHなどを送信する。
【００５７】
なお、ユーザ装置300に送信される物理チャネル、具体的には、PDSCH及びPDCCHなどのチャネルは、中央集約装置210が生成してもよいし、張出装置260が生成してもよい。例えば、張出装置260が当該チャネルを生成する場合、張出装置260（チャネル送信部265）は、当該チャネルを介して送信される内容を中央集約装置210から受信し、当該内容を含み、所定のフォーマットに従ったチャネルを生成する。
【００５８】
一方、中央集約装置210が当該チャネルを生成する場合、張出装置260は、中央集約装置210から受信した当該チャネルを、そのまま無線区間に送出する。
【００５９】
情報取得部267は、ユーザ装置300から送信された下りリンク品質情報（CQIなど）及び下り方向のスケジューリング要求などを取得する。
【００６０】
情報送信部269は、チャネル送信部265が取得した下りリンク品質情報及び下り方向のスケジューリング要求などを中央集約装置210に送信する。
【００６１】
（３）無線通信システムの動作
次に、無線通信システム10の動作について説明する。具体的には、中央集約装置210及び張出装置260によるシステム情報のユーザ装置300の報知動作について説明する。
【００６２】
（３．１）概略動作
図５は、中央集約装置210及び張出装置260によるシステム情報の報知動作の概念図である。具体的には、図５では、システム情報として、SIBを報知する場合における動作概要を示す。
【００６３】
図５に示すように、中央集約装置210は、システム情報（SIB）を張出装置260に送信する。張出装置260は、当該システム情報を受信すると、PDCCH及びPDSCHを用いて当該システム情報をユーザ装置300に送信する。
【００６４】
図６は、システム情報の送信に関連する論理チャネル、トランスポートチャネル及び物理チャネルのマッピングを示す。なお、図６では、システム情報の送信に関連する主なチャネルのマッピングのみが示されている。
【００６５】
図６に示すように、システム情報（MIB, SIB）は、まず、論理チャネルであるBCCH（Broadcast Control Channel）にマッピングされる。BCCHは、システム情報報知用の論理チャネルである。
【００６６】
MIBの場合、BCCHは、トランスポートチャネルであるBCH（Broadcast Channel）にマッピングされる。さらに、BCHは、物理チャネルであるPBCH（Physical Broadcast Channel）にマッピングされる。MIBは、40ms毎に送信される。また、当該40ms内で同一内容が繰り返し4回送信され、当該複数のMIBをsoft combiningすることができる。
【００６７】
SIBの場合、BCCHは、トランスポートチャネルであるDLSCH（Downlink Shared Channel）にマッピングされる。SIBは、種類によって送信周期が異なるが、例えば、SIB1であれば、80ms毎に送信される。また、当該80ms内で同一内容が繰り返し4回送信され、当該複数のSIB1をsoft combiningすることができる。
【００６８】
なお、DLSCHは、システム情報、及び下り方向の制御情報とユーザデータとのの送信に用いられる。DLSCHは、物理チャネルであるPDSCH（Physical Downlink Shared Channel）にマッピングされる。
【００６９】
PDSCHの送信タイミングなど無線リソースに関する内容を含むDCI（Downlink Control Information）は、PDCCH（Physical Downlink Control Channel）によってユーザ装置300に通知される。このため、SIBの内容を変更する場合、PDCCH及びPDSCHの変更を伴う。
【００７０】
（３．２）システム情報の報知シーケンス
次に、システム情報の報知シーケンスついて説明する。具体的には、SIB、及びSIBの送信に必要となる無線リソースの割り当て情報の報知動作について、複数の動作例を挙げて説明する。
【００７１】
（３．２．１）動作例１
図７は、無線リソースの割り当て情報及びSIBの内容の報知動作例１における通信シーケンスを示す。
【００７２】
動作例１では、張出装置260と中央集約装置210とによるセルの設定において、当該SIBの報知に用いられる無線リソースの割り当て情報及びSIBの内容を報知するPDCCH, PDSCHの送信を回避する（S10）。
【００７３】
つまり、張出装置260は、当該セルの設定時には、PDCCH及びPDSCHを送信しない。また、張出装置260と中央集約装置210とによるセルの設定において、当該SIBの報知に用いられる無線リソースの割り当て情報及びSIBの内容は、中央集約装置210から張出装置260へ送信されない。
【００７４】
一方、動作例１では、当該SIBの報知に用いられる無線リソースの割り当て情報、具体的には、PDCCHを介して送信される情報と、PDSCHを介して送信されるSIBの内容との組合せが、所定の周期T（例えば、80ms、以下の動作例でも同様）で常に中央集約装置210から張出装置260に送信される（S20〜S40）。
【００７５】
（３．２．２）動作例２
図８は、無線リソースの割り当て情報及びSIBの内容の報知動作例２における通信シーケンスを示す。
【００７６】
動作例２では、張出装置260と中央集約装置210とによるセルの設定において、当該SIBの報知に用いられる無線リソースの割り当て情報及びSIBの内容が、中央集約装置210から張出装置260に送信され、PDCCH, PDSCHによってユーザ装置300にそれぞれ送信される（S110）。
【００７７】
動作例２では、割り当て情報については、常に送信せず、内容（つまり、使用する無線リソースブロック）について変更が生じた場合にのみ、中央集約装置210から張出装置260に当該割り当て情報が送信される（S140）。当該割り当て情報は、PDCCHを介してユーザ装置300に送信される。
【００７８】
一方、SIBの内容については、常に中央集約装置210から張出装置260に送信され、割り当て情報及びSIBの内容については、張出装置260からPDCCH, PDSCHを介してユーザ装置300に送信される（S120, S130, S150）。
【００７９】
（３．２．３）動作例３
図９は、無線リソースの割り当て情報及びSIBの内容の報知動作例３における通信シーケンスを示す。
【００８０】
動作例３でも、張出装置260と中央集約装置210とによるセルの設定において、当該SIBの報知に用いられる無線リソースの割り当て情報及びSIBの内容が、中央集約装置210から張出装置260に送信され、PDCCH, PDSCHによってユーザ装置300にそれぞれ送信される（S210）。
【００８１】
動作例３では、SIBの内容については、常に送信せず、内容（つまり、システム情報の内容）について変更が生じた場合にのみ、中央集約装置210から張出装置260に当該SIBの内容が送信される（S240）。変更された当該SIBの内容については、PDCCH及びPDSCHを用いてユーザ装置300に送信される。
【００８２】
一方、無線リソースの割り当て情報については、常に中央集約装置210から張出装置260に送信され、張出装置260からPDCCHを介してユーザ装置300に送信される（S220, S230, S250）。また、SIBの内容についてもPDSCHを介してユーザ装置300に送信される。
【００８３】
（３．２．４）動作例４
図１０は、無線リソースの割り当て情報及びSIBの内容の報知動作例４における通信シーケンスを示す。
【００８４】
動作例４でも、張出装置260と中央集約装置210とによるセルの設定において、当該SIBの報知に用いられる無線リソースの割り当て情報及びSIBの内容が、中央集約装置210から張出装置260に送信され、PDCCH, PDSCHによってユーザ装置300にそれぞれ送信される（S310）。
【００８５】
動作例４では、無線リソースの割り当て情報及びSIBの内容とも、常に送信せず、内容について変更が生じた場合にのみ、中央集約装置210から張出装置260に当該割り当て情報またはSIBの内容が送信される。
【００８６】
具体的には、割り当て情報について変更が生じた場合、中央集約装置210から張出装置260に当該割り当て情報が送信される（S350）。変更された当該割り当て情報は、PDCCHを介してユーザ装置300に送信される。
【００８７】
また、SIBの内容について変更が生じた場合、中央集約装置210から張出装置260に当該SIBの内容が送信される（S380）。変更された当該SIBの内容は、PDCCH及びPDSCHを用いてユーザ装置300に送信される。
【００８８】
一方、割り当て情報及びSIBの内容に変更がない場合には、割り当て情報及びSIBの内容については、張出装置260からPDCCH, PDSCHを介してユーザ装置300に送信される（S320, S330, S340, S360, S370）。
【００８９】
（４）作用・効果
上述した実施形態によれば、以下の作用効果が得られる。具体的には、中央集約装置210（情報送信部211）は、システム情報または割り当て情報の内容が変更された場合、内容が変更されたシステム情報、または内容が変更された割り当て情報を張出装置260に送信する。
【００９０】
具体的には、動作例１に示したように、張出装置260と中央集約装置210とによるセルの設定において、当該SIBの報知に用いられる無線リソースの割り当て情報及びSIBの内容を報知するPDCCH, PDSCHの送信が回避される。一方、中央集約装置210は、システム情報のユーザ装置300への送信タイミング毎に、システム情報及び割り当て情報を張出装置260に送信する。
【００９１】
動作例１によれば、セル設定時の動作が簡素化され、迅速なセル設定に貢献する。また、中央集約装置210側でPDCCH, PDSCHが生成される場合、張出装置260は、中央集約装置210から受信したPDCCH, PDSCHをそのまま無線区間に送出すればよいため、張出装置260に要求される性能を抑えることに寄与する。
【００９２】
また、動作例２に示したように、中央集約装置210は、割り当て情報の内容が変更された場合のみ、内容が変更された当該割り当て情報を張出装置260に送信することができる。
【００９３】
動作例２によれば、割り当て情報の内容に変更がない場合には、システム情報（SIB）のみが張出装置260に送信されるため、中央集約装置210と張出装置260とのインタフェース（CPRIなど）において占有する帯域を低減することができる。
【００９４】
また、動作例３によれば、中央集約装置210は、システム情報の内容が変更された場合のみ、内容が変更されたシステム情報を送信する張出装置260に送信することができる。
【００９５】
動作例３によれば、システム情報の内容に変更がない場合には、割り当て情報（SIB）のみが張出装置260に送信されるため、動作例２と同様に、中央集約装置210と張出装置260とのインタフェースにおいて占有する帯域を低減することができる。
【００９６】
また、動作例４は、実質的には、動作例２と動作例３との組合せであるため、中央集約装置210と張出装置260とのインタフェースにおいて占有する帯域をさらに低減することができる。
【００９７】
すなわち、このような無線基地局100によれば、システム情報、及び当該システム情報の報知に用いられる無線リソースの割り当て情報を、効率的に中央集約装置210から張出装置260に通知することができる。
【００９８】
（５）その他の実施形態
以上、実施形態に沿って本発明の内容を説明したが、本発明はこれらの記載に限定されるものではなく、種々の変形及び改良が可能であることは、当業者には自明である。
【００９９】
例えば、上述した実施形態では、システム情報として、主にSIB（例えば、SIB1）を例にして説明したが、本発明は、SIB1に限らず、他のSIB或いはMIBを送信する場合にも適用されてもよい。
【０１００】
また、上述した実施形態では、5Gが導入された直後における無線通信システムの構成を想定しており、5Gが4Gを補完するLTE assisted operationを実現している体について説明したが、本発明は、このようなLTE assisted operationに限らず、例えば、5G単独でのoperationにも適用し得ることは勿論である。
【０１０１】
さらに、上述した実施形態全体を通じて、3GPPにおいて規定される用語を主に用いて説明したが、当該用語は、他の用語に置き換えられても構わない。例えば、上述した実施形態の中でも言及したように、ユーザ装置は、無線通信端末、移動局、或いはユーザ端末などと呼ばれてもよいし、無線基地局は、ノード或いは無線通信装置またはシステムなどと呼ばれても構わない。
【０１０２】
さらに、 上述した実施形態におけるシーケンス及びフローチャートなどは、矛盾の無い限り、順序を入れ替えてもよい。
【０１０３】
また、本明細書で説明した用語及び／または本明細書の理解に必要な用語については、同一のまたは類似する意味を有する用語と置き換えてもよい。例えば、チャネル及び／またはシンボルは信号（シグナル）であってもよい。また、信号はメッセージであってもよい。また、「システム」及び「ネットワーク」という用語は、互換的に使用されてもよい。
【０１０４】
さらに、上述したパラメータなどは、絶対値で表されてもよいし、所定の値からの相対値で表されてもよいし、対応する別の情報で表されてもよい。例えば、無線リソースはインデックスで指示されるものであってもよい。
【０１０５】
無線基地局（無線基地局100, 200、以下、基地局）は、１つまたは複数（例えば、３つ）のセル（セクタとも呼ばれる）を収容することができる。基地局が複数のセルを収容する場合、基地局のカバレッジエリア全体は複数のより小さいエリアに区分できる。
【０１０６】
「セル」または「セクタ」という用語は、このカバレッジにおいて通信サービスを行う基地局、及び／または基地局サブシステムのカバレッジエリアの一部または全体を指す。さらに、「基地局」「eNB」、「セル」、及び「セクタ」という用語は、本明細書では互換的に使用され得る。基地局は、固定局（fixed station）、NodeB、eNodeB（eNB）、アクセスポイント（access point）、フェムトセル、スモールセルなどの用語で呼ばれる場合もある。
【０１０７】
ユーザ装置300は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１０８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０９】
さらに、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【０１１０】
本明細書で使用した「第１」、「第２」などの呼称を使用した要素へのいかなる参照も、それらの要素の量または順序を全般的に限定するものではない。これらの呼称は、２つ以上の要素間を区別する便利な方法として本明細書で使用され得る。したがって、第１及び第２の要素への参照は、２つの要素のみがそこで採用され得ること、または何らかの形で第１の要素が第２の要素に先行しなければならないことを意味しない。
【０１１１】
本明細書の全体において、例えば、英語でのa, an, 及びtheのように、翻訳により冠詞が追加された場合、これらの冠詞は、文脈から明らかにそうではないことが示されていなければ、複数のものを含むものとする。
【０１１２】
なお、本発明は、以下のように表現されてもよい。本発明の一態様は、張出装置（張出装置260）と中央集約装置（中央集約装置210）とを含み、ユーザ装置（ユーザ装置300）と無線通信を実行する無線基地局（無線基地局100）であって、前記中央集約装置は、前記ユーザ装置に向けて報知されるシステム情報（例えば、SIB）、及び前記システム情報の報知に用いられる無線リソースの割り当てを示す割り当て情報（例えば、PDCCHを介して送信される割り当て情報）を前記張出装置に送信する情報送信部（情報送信部211）を備え、前記張出装置は、前記システム情報及び前記割り当て情報を受信する情報受信部（情報受信部263）と、前記情報受信部が受信した前記割り当て情報に基づいて、所定の下りチャネル（例えば、PDSCH）を介して前記システム情報を前記ユーザ装置に送信するチャネル送信部（チャネル送信部265）とを備え、前記情報送信部は、前記システム情報または前記割り当て情報の内容が変更された場合、内容が変更された前記システム情報、または内容が変更された前記割り当て情報を送信する。
【０１１３】
本発明の一態様において、前記情報送信部は、前記システム情報の内容が変更された場合のみ、内容が変更された前記システム情報を送信してもよい。
【０１１４】
本発明の一態様において、前記情報送信部は、前記割り当て情報の内容が変更された場合のみ、内容が変更された前記割り当て情報を送信してもよい。
【０１１５】
本発明の一態様に係る無線基地局は、張出装置と中央集約装置とを含み、ユーザ装置と無線通信を実行する。前記中央集約装置は、前記ユーザ装置に向けて報知されるシステム情報、及び前記システム情報の報知に用いられる無線リソースの割り当てを示す割り当て情報を前記張出装置に送信する情報送信部を備え、前記張出装置は、前記システム情報及び前記割り当て情報を受信する情報受信部と、前記情報受信部が受信した前記割り当て情報に基づいて、所定の下りチャネルを介して前記システム情報を前記ユーザ装置に送信するチャネル送信部とを備え、前記情報送信部は、前記張出装置と前記中央集約装置とによるセルの設定においては、前記システム情報及び前記割り当て情報の送信を回避し、前記システム情報の前記ユーザ装置への送信タイミング毎に、前記システム情報及び前記割り当て情報を前記張出装置に送信する。
【０１１６】
本発明の一態様に係る通信制御方法は、張出装置と中央集約装置とを含み、ユーザ装置と無線通信を実行する無線基地局において用いられる。通信制御方法は、前記中央集約装置が、前記ユーザ装置に向けて報知されるシステム情報、及び前記システム情報の報知に用いられる無線リソースの割り当てを示す割り当て情報を前記張出装置に送信するステップと、前記張出装置が、受信した前記割り当て情報に基づいて、所定の下りチャネルを介して前記システム情報を前記ユーザ装置に送信するステップとを含み、前記割り当て情報を前記張出装置に送信するステップでは、前記システム情報または前記割り当て情報の内容が変更された場合、内容が変更された前記システム情報、または内容が変更された前記割り当て情報を送信する。
【０１１７】
本発明の一態様に係る通信制御方法は、張出装置と中央集約装置とを含み、ユーザ装置と無線通信を実行する無線基地局において用いられる。通信制御方法は、中央集約装置が、前記ユーザ装置に向けて報知されるシステム情報、及び前記システム情報の報知に用いられる無線リソースの割り当てを示す割り当て情報を前記張出装置に送信するステップと、前記張出装置が、受信した前記割り当て情報に基づいて、所定の下りチャネルを介して前記システム情報を前記ユーザ装置に送信するステップと、前記張出装置と前記中央集約装置とによるセルの設定において、前記システム情報及び前記割り当て情報の送信を回避するステップとを含み、前記割り当て情報を前記張出装置に送信するステップでは、前記システム情報の前記ユーザ装置への送信タイミング毎に、前記システム情報及び前記割り当て情報を前記張出装置に送信する。
【０１１８】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【０１１９】
なお、日本国特許出願第2016-078472号（2016年4月8日出願）の全内容が、参照により、本願明細書に組み込まれている。
【産業上の利用可能性】
【０１２０】
上述した無線基地局及び通信制御方法によれば、MACスケジューラなどの上位レイヤの機能と、無線物理レイヤの機能とが分離して実装された場合でも、システム情報、及び当該システム情報の報知に用いられる無線リソースの割り当て情報を、効率的に中央集約装置から張出装置に通知することができる。
【符号の説明】
【０１２１】
10  無線通信システム
20  コアネットワーク
100  無線基地局
110  中央集約装置
160  張出装置
200  無線基地局
210  中央集約装置
211  情報送信部
213  情報受信部
215  スケジューラ機能部
217  チャネル制御部
219  X2 IF部
260  張出装置
261  無線通信部
263  情報受信部
265  チャネル送信部
267  情報取得部
269  情報送信部
300  ユーザ装置
【図１】
2017175780.tif 000003
【図２】
2017175780.tif 000004
【図３】
2017175780.tif 000005
【図４】
2017175780.tif 000006
【図５】
2017175780.tif 000007
【図６】
2017175780.tif 000008
【図７】
2017175780.tif 000009
【図８】
2017175780.tif 000010
【図９】
2017175780.tif 000011
【図１０】
2017175780.tif 000012
【国際調査報告】
2017175780.tif 000013
2017175780.tif 000014
2017175780.tif 000015
2017175780.tif 000016